(57)【要約】  セカンダリセルのディアクティベーション方法、装置及び通信システムが提供される。前記ディアクティベーション方法は、セカンダリPUCCHセルグループ中の任意の１つの第２セカンダリセルにおいて、ディアクティベーションタイマーが再スタートさせられ、又はチャネル品質指示報告が伝送される場合、PUCCHをキャリーする第１セカンダリセルに関連付けられているディアクティベーションタイマーを再スタートさせることを含む。これにより、ユーザ装置の自主的ディアクティベーションメカニズムによる、ユーザ装置及び基地局のセカンダリセルのアクティベーション状態への認識が不一致の問題が生じることがない。
2018511259.tif 000002
【特許請求の範囲】
【請求項１】
ユーザ装置に構成されるセカンダリセルのディアクティベーション（deactivation）装置であって、
前記ユーザ装置は、物理上りリンク制御チャネルをキャリー（carry）する第１セカンダリセル及び物理上りリンク制御チャネルをキャリーしない第２セカンダリセルを有するように構成され、前記第１セカンダリセル、及び前記物理上りリンク制御チャネルにより上りリンク制御情報を伝送する１つ又は複数の第２セカンダリセルは、セカンダリ物理上りリンク制御チャネルセルグループを構成し、
前記ディアクティベーション装置は、
前記セカンダリ物理上りリンク制御チャネルセルグループ中の任意の１つの第２セカンダリセルにおいて、ディアクティベーションタイマーが再スタートさせられ、又は、チャネル品質指示報告が伝送される場合、前記携帯物理上りリンク制御チャネルの第１セカンダリセルに関連付けられているディアクティベーションタイマーを再スタートさせるための再スタートユニットを含む、ディアクティベーション装置。
【請求項２】
請求項1に記載のディアクティベーション装置であって、
前記任意の１つの第２セカンダリセル上で、上りリンクグラント又は下りリンク割り当てを指示する物理下りリンク制御チャネルを受信しているか、又は、他のサービングセル上で、前記任意の１つの第２セカンダリセルをスケジューリングし、且つ上りリンクグラント又は下りリンク割り当てを指示する物理下りリンク制御チャネルを受信しているかを確定するための確定ユニットをさらに含む、ディアクティベーション装置。
【請求項３】
請求項2に記載のディアクティベーション装置であって、
前記再スタートユニットは、さらに、前記任意の１つの第２セカンダリセルのディアクティベーションタイマーを再スタートさせるために用いられる、ディアクティベーション装置。
【請求項４】
請求項2に記載のディアクティベーション装置であって、
前記確定ユニットは、さらに、前記任意の１つの第２セカンダリセルにおいて、チャネル品質指示報告が伝送されるかを確定するために用いられる、ディアクティベーション装置。
【請求項５】
ユーザ装置に構成されるセカンダリセルのディアクティベーション装置であって、
前記ユーザ装置は、物理上りリンク制御チャネルをキャリーする第１セカンダリセル及び物理上りリンク制御チャネルをキャリーしない第２セカンダリセルを有するように構成され、
前記ディアクティベーション装置は、
前記携帯物理上りリンク制御チャネルの第１セカンダリセルについて、ディアクティベーションタイマーがワーキングしないように構成し、又は、前記第１セカンダリセルのディアクティベーションタイマーの値が前記第２セカンダリセルのディアクティベーションタイマーの値によりも大きいように構成するための構成ユニットを含む、ディアクティベーション装置。
【請求項６】
請求項5に記載のディアクティベーション装置であって、
前記構成ユニットは、前記第１セカンダリセルのディアクティベーションタイマーの値を無限大と構成する、ディアクティベーション装置。
【請求項７】
ユーザ装置に構成されるセカンダリセルのディアクティベーション装置であって、
前記ユーザ装置は、物理上りリンク制御チャネルをキャリーする第１セカンダリセル及び物理上りリンク制御チャネルをキャリーしない第２セカンダリセルを有するように構成され、前記第１セカンダリセル、及び前記第１セカンダリセルの物理上りリンク制御チャネルにより上りリンク制御情報を伝送する１つ又は複数の第２セカンダリセルは、セカンダリ物理上りリンク制御チャネルセルグループを構成し、
前記ユーザ装置は、さらに、物理上りリンク制御チャネルをキャリーするプライマリセルを有するように構成され、前記プライマリセル、及び前記プライマリセルの物理上りリンク制御チャネルにより上りリンク制御情報を伝送する１つ又は複数の第２セカンダリセルは、プライマリ物理上りリンク制御チャネルセルグループを構成し、
前記ディアクティベーション装置は、
前記セカンダリ物理上りリンク制御チャネルセルグループのために１つのセカンダリセルグループディアクティベーションタイマーを構成するための構成ユニット；及び
前記セカンダリ物理上りリンク制御チャネルセルグループ中の任意の１つのセカンダリセルがタイマー再スタート条件を満足した場合、前記セカンダリセルグループディアクティベーションタイマーを再スタートさせるための再スタートユニットを含む、ディアクティベーション装置。
【請求項８】
請求項7に記載のディアクティベーション装置であって、
前記セカンダリ物理上りリンク制御チャネルセルグループ中の任意の１つのセカンダリセル上で、上りリンクグラント又は下りリンク割り当てを指示する物理下りリンク制御チャネルを受信しているか、又は、他のサービングセル上で、前記任意の１つのセカンダリセルをスケジューリングし、且つ上りリンクグラント又は下りリンク割り当てを指示する物理下りリンク制御チャネルを受信しているかを確定するための確定ユニットをさらに含む、ディアクティベーション装置。
【請求項９】
請求項7に記載のディアクティベーション装置であって、
前記構成ユニットは、さらに、前記プライマリ物理上りリンク制御チャネルセルグループのために１つのプライマリセルグループディアクティベーションタイマーを構成するために用いられ、
前記再スタートユニットは、さらに、前記プライマリ物理上りリンク制御チャネルセルグループ中の任意の１つのセカンダリセルがタイマー再スタート条件を満足した場合、前記プライマリセルグループディアクティベーションタイマーを再スタートさせるために用いられる、ディアクティベーション装置。
【請求項１０】
請求項9に記載のディアクティベーション装置であって、
前記プライマリ物理上りリンク制御チャネルセルグループ中の任意の１つのセカンダリセル上で、上りリンクグラント又は下りリンク割り当てを指示する物理下りリンク制御チャネルを受信しているか、又は、他のサービングセル上で、前記任意の１つのセカンダリセルをスケジューリングし、且つ上りリンクグラント又は下りリンク割り当てを指示する物理下りリンク制御チャネルを受信しているかを確定するための確定ユニットをさらに含む、ディアクティベーション装置。
【請求項１１】
ユーザ装置を含む通信システムであって、
前記ユーザ装置は、物理上りリンク制御チャネルをキャリーする第１セカンダリセル及び物理上りリンク制御チャネルをキャリーしない第２セカンダリセルを有するように構成され、前記第１セカンダリセル、及び前記第１セカンダリセルの物理上りリンク制御チャネルにより上りリンク制御情報を伝送する１つ又は複数の第２セカンダリセルは、セカンダリ物理上りリンク制御チャネルセルグループを構成し、
前記ユーザ装置は、さらに、物理上りリンク制御チャネルをキャリーするプライマリセルを有するように構成され、前記プライマリセル、及び前記プライマリセルの物理上りリンク制御チャネルにより上りリンク制御情報を伝送する１つ又は複数の第２セカンダリセルは、プライマリ物理上りリンク制御チャネルセルグループを構成し、
前記ユーザ装置は、
前記セカンダリ物理上りリンク制御チャネルセルグループ中の任意の１つの第２セカンダリセルにおいて、ディアクティベーションタイマーが再スタートさせられ、又は、チャネル品質指示報告が伝送される場合、前記携帯物理上りリンク制御チャネルの第１セカンダリセルに関連付けられているディアクティベーションタイマーを再スタートさせ；又は、
前記携帯物理上りリンク制御チャネルの第１セカンダリセルについて、ディアクティベーションタイマーがワーキングしないように構成し、又は、前記第１セカンダリセルのディアクティベーションタイマーの値が前記第２セカンダリセルのディアクティベーションタイマーの値よりも大きいように構成し；又は、
前記セカンダリ物理上りリンク制御チャネルセルグループのために１つのセカンダリセルグループディアクティベーションタイマーを構成し、また、前記セカンダリ物理上りリンク制御チャネルセルグループ中の任意の１つのセカンダリセルがタイマー再スタート条件を満足した場合、前記セカンダリセルグループディアクティベーションタイマーを再スタートさせる、通信システム。
【発明の詳細な説明】
【技術分野】
【０００１】
本発明の実施例は、通信技術分野に関し、特に、セカンダリセルのディアクティベーション（deactivation）方法、装置及び通信システムに関する。
【背景技術】
【０００２】
今のところ、ユーザ装置（UE、User  Equipment）がキャリアアグリゲーション（CA、Carrier  Aggregation）能力を要し且つ有する時に、基地局は、UEのCA能力を考慮して、UEのために使用可能なキャリアを選択し、また、無線リソース制御（RRC、Radio  Resource  Control）メッセージにより、このセルを、UEのセカンダリセル（SCell、Secondary  Cell）と構成する。
【０００３】
適時性のために、構成されたSCellがすぐにデータ伝送のために用いられ得ると見なされれば、リソース効率性を考慮すると、このSCellを使用しない時に、このSCellを削除する必要があり、UEは、このSCellのリソースを用いてデータ伝送を行わない。また、再びこのセルによりデータを伝送する必要がある時に、再びRRCメッセージによりこのセルをSCellと構成する必要がある。
【０００４】
頻繁に発生するが、持続時間が短く且つトラフィック量が大きいトラフィック類型を考慮すれば、このように頻繁にSCellを構成／削除することは、大量のRRCメッセージを消耗し得る。また、RRCメッセージの適時性も比較的悪い。必要な時に再びRRCメッセージによりSCellを構成すれば、このようなトラフィックの時間厳守性を十分に満足することができない。逆に、RRCメッセージを節約し且つトラフィックの時間厳守性を保証するために、トラフィック伝送の有無にもかかわらず、このセルをずっとSCellとすれば、リソースを十分に利用することができず、周波数スペクトル利用率が低下し、セルのスループットもそれに伴って低下する。
【０００５】
よって、SCellのために新しい状態、即ち、アクティベーション（activation）状態又はディアクティベーション状態を導入している。UEは、アクティベーション状態のSCellのみをモニタリングし、アクティベーション状態のSCell上でのみデータ伝送を行う。基地局がCA  UEのために使用可能なSCellを構成した後に、基地局及びUEは、このSCellがディアクティベーション状態にあると黙認する。必要な場合、基地局は、activationメディアアクセス制御（MAC、Media  Access  Control）制御エレメント（CE、Control  Element）により、このSCellをアクティベーション状態にさせ、そうでない場合、deactivation  MAC  CEにより、このSCellをディアクティベーション状態にさせる。
【０００６】
幾つかの場合、あるSCellをディアクティベーションするdeactivation  MAC  CEの伝送に失敗することがあり、失敗したら、基地局は、このSCellがディアクティベーション状態にあると見なすが、UEは、このSCellがアクティベーション状態にあると見なす。このときに、UEは、このSCell上でUEの自主的な上りリンク伝送、例えば、サウンディング参照信号（SRS、Sounding  Reference  Signal）を送信する可能性があり、これは、他の上りリンク伝送について言えば干渉になる可能性があり、また、省エネにも不利である。そのため、UEの自主的ディアクティベーションメカニズムが導入されている。
【０００７】
言い換えると、UE及び基地局の、セカンダリセルアクティベーション状態への理解（認識）を統一化するために、UEの自主的なディアクティベーションが導入されており、即ち、各セカンダリセルのために１つのディアクティベーションタイマーを維持する。基地局がactivation  MAC  CEにより、あるSCellをアクティベーションする時に、基地局及びUEは、同時に、このSCellがアクティベーションされると見なし、また、このSCellのために１つのディアクティベーションタイマーをスタートさせる。deactivation  MAC  CEが成功裏に伝送されている時に、又は、SCellに関連付けられているディアクティベーションタイマーが切れた時に、UE及び基地局は、ともに、このSCellがディアクティベーションされると見なす。
【０００８】
アクティベーションされているSCell上で、上りリンクグラント（Uplinkgrant）又は下りリンク割り当て（Downlink  assignment）を指示する物理下りリンク制御チャネル（PDCCH、Physical  Downlink  Control  Channel）を受信した場合、又は、他のサービングセル上で、このSCellをスケジューリングするPDCCH（上りリンクグラント及び下りリンク割り当てを含む）を受信した場合、UEは、このSCellに関連付けられているディアクティベーションタイマーを再スタートさせる。
【０００９】
しかしながら、UEのトラフィックのニーズに応じて、あるSCellをしばらく必要としない時に、基地局は、このSCellをディアクティベーションすることができる。UEがDeactivation  MAC  CEを受信していなくても、基地局が所定時間内でこのSCellをスケジューリングせず、また、このSCell上でPDCCHを伝送しなければ、ディアクティベーションタイマーにより、このSCellは、UEが自主的にディアクティベーションすることができる。
【００１０】
UEの自主的ディアクティベーションメカニズムに基づいて、基本的には、CA  UEのセカンダリセルのアクティベーション状態を適切に維持することができる。基地局及びUEが各SCellに対して１つのディアクティベーションタイマーを維持しても、これらのタイマーの値は、同じであり、且つ基地局からRRCメッセージによりUEに構成されるものである。また、タイマーのデフォルト値は、無限大の値である。
【００１１】
一方、今のところ、LTEシステムでは、キャリアアグリゲーションのUEについて、プライマリセル（PCell、Primary  Cell）上でのみ物理上りリンク制御チャネル（PUCCH、Physical  Uplink  Control  Channel）が構成されており、全てのセルにおける略全ての上りリンク制御情報（UCI、Uplink  Control  Information）は、PCellにおけるPUCCH上で基地局（例えば、eNB）に伝送される。
【００１２】
新しいトラフィックのニーズの出現に伴い、キャリアアグリゲーションの下りリンクキャリア数が益々多くなり、また、ユーザ装置（非キャリアアグリゲーション及びキャリアアグリゲーションのユーザ装置を含む）も益々多くなることを考慮すると、PCell上でのみUCIを伝送するときに問題が生じ得る。UCI伝送のロードを分担するために、PCell上でPUCCHを伝送する他に、基地局は、さらに、UL  CA能力を有するUEのために、１つのSCellを、PUCCH伝送のために選択することができる。このようにして、PCellに関するUCIは、PCell上で伝送され、PUCCHをキャリー（carry）するSCellのUCIは、このSCell上で伝送され、他のSCellのUCIは、基地局により、PCell上で伝送されるように構成され、又は、PUCCHをキャリーするSCell上で伝送されるように構成される。
【００１３】
即ち、現在のキャリアアグリゲーションでは、PUCCHをキャリーする２つのサービングセルが存在し、そのうち、１つは、PCellであり、もう１つは、PUCCHをキャリーするSCellである。PCell及び該PCellのPUCCHにより上りリンク制御情報を伝送する全ての普通のSCellは、プライマリPUCCHセルグループを構成し、PUCCHをキャリーするSCell及び該SCellのPUCCHにより上りリンク制御情報を伝送する全ての普通のSCellは、セカンダリPUCCHセルグループを構成する。プライマリPUCCHセルグループ及びセカンダリPUCCHセルグループは、PUCCHセルグループと総称される。
【００１４】
なお、上述の背景技術についての紹介は、本発明の技術案を明確且つ完全に説明し、当業者がそれを理解しやすいためのものである。これらの案は、本発明の背景技術の一部に記述されているため、当業者にとって周知であると解釈すべきではない。
【発明の概要】
【発明が解決しようとする課題】
【００１５】
しかし、本発明の発明者は、次のようなことを発見した。即ち、幾つかの場合、基地局は、PUCCHをキャリーするSCell（第１セカンダリセル）がアクティベーション状態にあると見なすが、UEは、このSCell（第１セカンダリセル）がディアクティベーション状態にあると見なす。このような場合、このSCell（第１セカンダリセル）におけるPUCCHに関連付けられている他の普通のSCell（第２セカンダリセル）が存在し、且つ基地局がこのSCell（第２セカンダリセル）をスケジューリングしても、このSCell（第２セカンダリセル）の下りリンク伝送は、ワーキングすることができない。なぜなら、このSCell（第２セカンダリセル）の上りリンクフィードバックを伝送するためにPUCCHを使用する必要があるが、該PUCCHをキャリーするSCell（第１セカンダリセル）は、UEにより、ディアクティベーションされているSCellとして処理されているため、PUCCHを伝送することができないからである。
【００１６】
本発明の実施例は、ユーザ装置の自主的ディアクティベーションメカニズムによる、ユーザ装置及び基地局のセカンダリセルのアクティベーション状態への認識が不一致の問題を処理するためのセカンダリセルのディアクティベーション方法、装置及び通信システムを提供する。
【課題を解決するための手段】
【００１７】
本発明の実施例の第１側面によれば、セカンダリセルのディアクティベーション方法が提供され、それは、ユーザ装置に応用され、前記ユーザ装置は、PUCCHをキャリーする第１セカンダリセル及びPUCCHをキャリーしない第２セカンダリセルを有するように構成され、前記第１セカンダリセル及び前記PUCCHにより上りリンク制御情報を伝送する１つ又は複数の第２セカンダリセルは、セカンダリPUCCHセルグループを構成し、
前記ディアクティベーション方法は、
前記セカンダリPUCCHセルグループ中の任意の１つの第２セカンダリセルにおいて、ディアクティベーションタイマーが再スタートさせられ又はチャネル品質指示報告が伝送される場合、前記PUCCHをキャリーする第１セカンダリセルに関連付けられているディアクティベーションタイマーを再スタートさせることを含む。
【００１８】
本発明の実施例の第２側面によれば、セカンダリセルのディアクティベーション装置が提供され、それは、ユーザ装置に構成され、前記ユーザ装置は、PUCCHをキャリーする第１セカンダリセル及びPUCCHをキャリーしない第２セカンダリセルを有するように構成され、前記第１セカンダリセル及び前記PUCCHにより上りリンク制御情報を伝送する１つ又は複数の第２セカンダリセルは、セカンダリPUCCHセルグループを構成し、
前記ディアクティベーション装置は、
前記セカンダリPUCCHセルグループ中の任意の１つの第２セカンダリセルにおいて、ディアクティベーションタイマーが再スタートさせられ又はチャネル品質指示報告が伝送される場合、前記PUCCHをキャリーする第１セカンダリセルに関連付けられているディアクティベーションタイマーを再スタートさせるための再スタートユニットを含む。
【００１９】
本発明の実施例の第３側面によれば、セカンダリセルのディアクティベーション方法が提供され、それは、ユーザ装置に応用され、前記ユーザ装置は、PUCCHをキャリーする第１セカンダリセル及びPUCCHをキャリーしない第２セカンダリセルを有するように構成され、
前記ディアクティベーション方法は、
前記PUCCHをキャリーする第１セカンダリセルについて、ディアクティベーションタイマーがワーキングしないように構成し；又は、前記第１セカンダリセルのディアクティベーションタイマーの値が前記第２セカンダリセルのディアクティベーションタイマーの値よりも大きいように構成することを含む。
【００２０】
本発明の実施例の第４側面によれば、セカンダリセルのディアクティベーション装置が提供され、それは、ユーザ装置に構成され、前記ユーザ装置は、PUCCHをキャリーする第１セカンダリセル及び／又はPUCCHをキャリーしない第２セカンダリセルを有するように構成され、
前記ディアクティベーション装置は、
前記PUCCHをキャリーする第１セカンダリセルについて、ディアクティベーションタイマーがワーキングしないように構成し；又は、前記第１セカンダリセルのディアクティベーションタイマーの値が前記第２セカンダリセルのディアクティベーションタイマーの値によりも大きいように構成するための構成ユニットを含む。
【００２１】
本発明の実施例の第５側面によれば、セカンダリセルのディアクティベーション方法が提供され、それは、ユーザ装置に応用され、前記ユーザ装置は、PUCCHをキャリーする第１セカンダリセル及びPUCCHをキャリーしない第２セカンダリセルを有するように構成され、前記第１セカンダリセル及び前記第１セカンダリセルのPUCCHにより上りリンク制御情報を伝送する１つ又は複数の第２セカンダリセルは、セカンダリPUCCHセルグループを構成し、前記ユーザ装置は、さらに、PUCCHをキャリーするプライマリセルを有するように構成され、前記プライマリセル及び前記プライマリセルのPUCCHにより上りリンク制御情報を伝送する１つ又は複数の第２セカンダリセルは、プライマリPUCCHセルグループを構成し、
前記ディアクティベーション方法は、
前記セカンダリPUCCHセルグループのために、１つのセカンダリセルグループディアクティベーションタイマーを構成し；及び
前記セカンダリPUCCHセルグループ中の任意の１つのセカンダリセルがタイマー再スタート条件を満足した場合、前記セカンダリセルグループディアクティベーションタイマーを再スタートさせることを含む。
【００２２】
本発明の実施例の第６側面によれば、セカンダリセルのディアクティベーション装置が提供され、それは、ユーザ装置に構成され、前記ユーザ装置は、PUCCHをキャリーする第１セカンダリセル及びPUCCHをキャリーしない第２セカンダリセルを有するように構成され、前記第１セカンダリセル及び前記第１セカンダリセルのPUCCHにより上りリンク制御情報を伝送する１つ又は複数の第２セカンダリセルは、セカンダリPUCCHセルグループを構成し、前記ユーザ装置は、さらに、PUCCHをキャリーするプライマリセルを有するように構成され、前記プライマリセル及び前記プライマリセルのPUCCHにより上りリンク制御情報を伝送する１つ又は複数の第２セカンダリセルは、プライマリPUCCHセルグループを構成し、
前記ディアクティベーション装置は、
前記セカンダリPUCCHセルグループのために、１つのセカンダリセルグループディアクティベーションタイマーを構成するための構成ユニット；及び
前記セカンダリPUCCHセルグループ中の任意の１つのセカンダリセルがタイマー再スタート条件を満足した場合、前記セカンダリセルグループディアクティベーションタイマーを再スタートさせるための再スタートユニットを含む。
【００２３】
本発明の実施例の第７側面によれば、通信システムが提供され、それは、ユーザ装置を含み、
前記ユーザ装置は、PUCCHをキャリーする第１セカンダリセル及びPUCCHをキャリーしない第２セカンダリセルを有するように構成され、前記第１セカンダリセル及び前記第１セカンダリセルのPUCCHにより上りリンク制御情報を伝送する１つ又は複数の第２セカンダリセルは、セカンダリPUCCHセルグループを構成し、前記ユーザ装置は、さらに、PUCCHをキャリーするプライマリセルを有するように構成され、前記プライマリセル及び前記プライマリセルのPUCCHにより上りリンク制御情報を伝送する１つ又は複数の第２セカンダリセルは、プライマリPUCCHセルグループを構成し、
前記ユーザ装置は、
前記セカンダリPUCCHセルグループ中の任意の１つの第２セカンダリセルにおいて、ディアクティベーションタイマーが再スタートさせされ、又は、チャネル品質指示報告が伝送される場合、前記PUCCHをキャリーする第１セカンダリセルに関連付けられているディアクティベーションタイマーを再スタートさせ；或いは、
前記PUCCHをキャリーする第１セカンダリセルについて、ディアクティベーションタイマーがワーキングしないように構成し；又は、前記第１セカンダリセルのディアクティベーションタイマーの値が前記第２セカンダリセルのディアクティベーションタイマーの値よりも大きいように構成し；或いは
前記セカンダリPUCCHセルグループのために、１つのセカンダリセルグループディアクティベーションタイマーを構成し、また、前記セカンダリPUCCHセルグループ中の任意の１つのセカンダリセルがタイマー再スタート条件を満足した場合、前記セカンダリセルグループディアクティベーションタイマーを再スタートさせる。
【００２４】
本発明の実施例のもう１つの側面によれば、コンピュータ可読プログラムが提供され、そのうち、ユーザ装置中で前記プログラムを実行する時に、前記プログラムは、コンピュータに、前記ユーザ装置中で、上述のようなセカンダリセルのディアクティベーション方法を実行させる。
【００２５】
本発明の実施例のもう１つの側面によれば、コンピュータ可読プログラムを記憶した記憶媒体が提供され、そのうち、前記コンピュータ可読プログラムは、ユーザ装置中で実行される時に、コンピュータに、ユーザ装置中で、上述のようなセカンダリセルのディアクティベーション方法を実行させる。
【００２６】
本発明の実施例の有益な効果は、PUCCHをキャリーするセカンダリセルのために、新しいディアクティベーションタイマー再スタートトリガーメカニズムを導入しており、又は、PUCCHをキャリーするセカンダリセルのために、ユーザ装置の自主的ディアクティベーションメカニズムを構成せず、又は、セカンダリPUCCHセルグループのために、新しいディアクティベーションタイマーメカニズムを導入しており、これにより、ユーザ装置の自主的ディアクティベーションメカニズムによる、ユーザ装置及び基地局のセカンダリセルのアクティベーション状態への認識が不一致の問題は生じることがない。
【００２７】
後述の説明及び図面を参照することで、本発明の特定の実施形態を詳しく開示し、本発明の原理を採用し得る態様を示す。なお、本発明の実施形態は、範囲上ではこれによって限定されない。添付した特許請求の範囲内であれば、本発明の実施形態は、様々な変更、修正及び代替によるものを含んでも良い。
【００２８】
また、１つの実施形態について説明した及び／又は示した特徴は、同じ又は類似した方式で１つ又は複数の他の実施形態に用い、他の実施形態中の特徴と組み合わせ、又は、他の実施形態中の特徴を置換することもできる。
【００２９】
なお、「含む／有する」のような用語は、本明細書に使用されるときに、特徴、要素、ステップ、又は、アセンブルの存在を指すが、１つ又は複数の他の特徴、要素、ステップ、又は、アセンブリの存在又は付加を排除しないということも指す。
【図面の簡単な説明】
【００３０】
以下の図面を参照することで本発明の多くの側面をより良く理解することができる。なお、図面中の要素は、比例して描かれたものではなく、本発明の原理を示すためだけのものである。本発明の一部を便利に説明及び例示するために、図面中の対応する一部は、拡大又は縮小されることがある。
【００３１】
また、本発明の１つの図面又は実施方式に記載の要素及び特徴は、１つ又は複数の他の図面又は実施方式に示す要素及び特徴と組み合わせることができる。さらに、図面では、類似した符号は、幾つかの図面中の対応する要素を示し、また、複数の実施方式に使用される対応する要素を示すために用いることもできる。
【図１】本発明の実施例のシナリオの例を示す図である。
【図２】本発明の実施例1のディアクティベーション方法を示す図である。
【図３】本発明の実施例2のディアクティベーション装置を示す図である。
【図４】本発明の実施例3のディアクティベーション方法を示す図である。
【図５】本発明の実施例4のディアクティベーション装置を示す図である。
【図６】本発明の実施例5のディアクティベーション方法を示す図である。
【図７】本発明の実施例6のディアクティベーション装置を示す図である。
【図８】本発明の実施例7のユーザ装置を示す図である。
【図９】本発明の実施例8の通信システムを示す図である。
【発明を実施するための形態】
【００３２】
添付の図面及び以下の説明を参照することにより、本発明の前述及び他の特徴が明らかになる。明細書及び図面では、本発明の特定の実施方式を具体的に開示しているが、それらは、本発明の原理を採用し得る一部のみの実施方式である。理解すべきは、本発明は、記載されている実施方式に限定されず、即ち、本発明は、添付の特許請求の範囲に属する全ての変更、変形及び代替によるものも含むということである。
【００３３】
以下、一つのシナリオ例を挙げて、どのような場合に次のような問題、即ち、“基地局は、PUCCHをキャリーするSCellがアクティベーション状態にあると見なすが、UEは、このSCellがディアクティベーション状態にあると見なす”という問題が生じ得るかについて詳細に説明する。
【００３４】
図1は、本発明の実施例の一つのシナリオ例を示す図である。図1に示すように、ある伝送時間間隔（TTI、Transmission  Time  Interval）において、基地局は、SCell  1上でPDCCHを送信することで、SCell  1をスケジューリングし、又は、他のSCellをクロスキャリア・スケジューリングする。しかし、PDCCH伝送に失敗したため、UEは、このPDCCHを受信していない。この場合、基地局だけは、SCell  1に関連付けられているディアクティベーションタイマーを再スタートさせるが、UEは、このタイマーを再スタートさせない。
【００３５】
例えば、t1時刻に、基地局は、SCell  1及びSCell  2がともにアクティベーション状態にあり、それらのディアクティベーションタイマーがともにワーキングしていると見なすが、UEは、SCell  1がディアクティベーションされており、T1が切れており、また、SCell  2がアクティベーション状態にあり、T2が依然としてワーキングしていると見なす。
【００３６】
このような場合、基地局は、SCell  1／2を下りリンクデータの伝送のためにスケジューリングする可能性がある。セルフスケジューリングのときに、基地局は、SCell  1によるSCell  1へのセルフスケジューリングに失敗してしまう。なずなら、このときに、UEは、SCell  1がディアクティベーションされていると見なすので、SCell  1をモニタリングしないからである。また、基地局は、SCell  2のPDCCHにより、下りリンク割り当てを送信し、SCell  2を下りリンク伝送のためにスケジューリングすることができるが、正常にワーキングすることもできない。なぜなら、SCell上で伝送される下りリンクデータのフィードバックは、SCell  1におけるPUCCHで送信される必要があるが、ディアクティベーションされているSCellは上りリンク制御情報を送信することができないと見なされているからである。クロスキャリア・スケジューリングの場合、基地局は、SCell  1によるSCell  2へのクロスキャリア・スケジューリングに失敗してしまう。なぜなら、このときに、UEは、ディアクティベーションされていると見なしたSCell  1をモニタリングしないからである。或いは、基地局は、SCell  2によるSCell  1へのクロスキャリア・スケジューリングも実現できない。なずなら、このときに、UEは、SCell  1がディアクティベーションされていると見なすからである。
【００３７】
このような問題は、実は、以前のリリースのキャリアアグリゲーションにも存在する。しかし、単一SCellにのみ関し、他のSCellの伝送への影響がないので、基地局は、自分で検出して発見し対応することができる。しかし、SCellにおけるPUCCHを導入した後に、このような問題がPUCCHをキャリーするSCellにおいて生じる場合、このSCellだけでなく、このSCellのPUCCHにより上りリンク制御情報を伝送する全てのSCellの下りリンク伝送もワーキングすることができない。これは、酷い品質低下を来してしまう。よって、このような問題を解決する必要がある。
【実施例１】
【００３８】
本発明の実施例は、セカンダリセルのディアクティベーション方法を提供し、該方法は、ユーザ装置に応用され、前記ユーザ装置は、PUCCHをキャリーする第１セカンダリセル及びPUCCHをキャリーしない第２セカンダリセルを有するように構成され、前記第１セカンダリセル及び前記PUCCHにより上りリンク制御情報を伝送する１つ又は複数の第２セカンダリセルは、セカンダリPUCCHセルグループを構成する。
【００３９】
図2は、本発明の実施例のディアクティベーション方法を示す図である。図2に示すように、前記方法は、次のようなステップを含む。
【００４０】
ステップ201：ユーザ装置により、前記セカンダリPUCCHセルグループ中の任意の１つの第２セカンダリセルにおいて、ディアクティベーションタイマーが再スタートさせられ、又は、チャネル品質指示報告が伝送されると確定し；
ステップ202：ユーザ装置により、PUCCHをキャリーする第１セカンダリセルに関連付けられているディアクティベーションタイマーを再スタートさせる。
【００４１】
本実施例では、PUCCHをキャリーするSCell（第１セカンダリセル）のために、新しいディアクティベーションタイマー再スタートトリガーメカニズムを導入することができる。
【００４２】
１つの実施方式では、ユーザ装置は、前記セカンダリPUCCHセルグループ中の任意の１つの第２セカンダリセルのディアクティベーションタイマーが再スタートさせられた場合、前記PUCCHをキャリーする第１セカンダリセルに関連付けられているディアクティベーションタイマーを再スタートさせることができる。
【００４３】
具体的には、ユーザ装置は、前記任意の１つの第２セカンダリセル上で、上りリンクグラント又は下りリンク割り当てを指示するPDCCHを受信しており、又は、他のサービングセル上で、前記任意の１つの第２セカンダリセルをスケジューリングし、且つ上りリンクグラント又は下りリンク割り当てを指示するPDCCHを受信していることを確定できる。このような場合、前記任意の１つの第２セカンダリセルのディアクティベーションタイマーを再スタートさせ、また、PUCCHをキャリーする第１セカンダリセルに関連付けられているディアクティベーションタイマーを再スタートさせる。
【００４４】
もう１つの実施方式では、ユーザ装置は、前記セカンダリPUCCHセルグループ中の任意の１つの第２セカンダリセルにおいて、チャネル品質指示（CQI、Channel  Quality  Indicator）報告が伝送された場合、前記PUCCHをキャリーする第１セカンダリセルに関連付けられているディアクティベーションタイマーを再スタートさせる。
【００４５】
具体的には、ユーザ装置は、前記任意の１つの第２セカンダリセル上で、上りリンクグラント又は下りリンク割り当てを指示するPDCCHを受信しており、又は、他のサービングセル上で、前記任意の１つの第２セカンダリセルをスケジューリングし、且つ上りリンクグラント又は下りリンク割り当てを指示するPDCCHを受信しており、又は、前記任意の１つの第２セカンダリセルがCQI報告を伝送するかを確定できる。このような場合、PUCCHをキャリーする第１セカンダリセルに関連付けられているディアクティベーションタイマーを再スタートさせる。
【００４６】
このように、セカンダリPUCCHセルグループ中の任意の１つのSCellのディアクティベーションタイマーが再スタートされられ、又は、CQI報告が伝送されるなら、PUCCHをキャリーするSCellに関連付けられているディアクティベーションタイマーも再スタートさせられ。これにより、普通のSCellの下りリンク伝送がワーキングできない問題が生じない。このような案は、SCell上のPUCCHを導入した後に、キャリアアグリゲーションのパフォーマンスが少なくとも以前と同じであるように保証することができる。
【００４７】
上述の実施例から分かるように、PUCCHをキャリーするセカンダリセルに新しいディアクティベーションタイマー再スタートトリガーメカニズムを導入しており、これにより、ユーザ装置の自主的ディアクティベーションメカニズムによる、ユーザ装置及び基地局のセカンダリセルのアクティベーション状態への認識が不一致の問題が生じることがない。
【実施例２】
【００４８】
本発明の実施例は、セカンダリセルのディアクティベーション装置を提供し、該装置は、ユーザ装置に構成される。本発明の実施例は、実施例1のディアクティベーション方法に対応するため、同じ内容は、省略される。
【００４９】
本実施例では、前記ユーザ装置は、PUCCHをキャリーする第１セカンダリセル及びPUCCHをキャリーしない第２セカンダリセルを有するように構成されており、前記第１セカンダリセル及び前記PUCCHにより上りリンク制御情報を伝送する１つ又は複数の第２セカンダリセルは、セカンダリPUCCHセルグループを構成する。
【００５０】
図3は、本発明の実施例のディアクティベーション装置を示す図である。図3に示すように、前記ディアクティベーション装置300は、次のようなものを含む。
【００５１】
再スタートユニット301：前記セカンダリPUCCHセルグループ中の任意の１つの第２セカンダリセルにおいて、ディアクティベーションタイマーが再スタートさせられ、又はCQI報告が伝送される場合、前記PUCCHをキャリーする第１セカンダリセルに関連付けられているディアクティベーションタイマーを再スタートさせる。
【００５２】
図3に示すように、前記ディアクティベーション装置300は、さらに、次のようなものを含んでも良い。
【００５３】
確定ユニット302：前記任意の１つの第２セカンダリセル上で、上りリンクグラント又は下りリンク割り当てを指示するPDCCHを受信しているか、又は、他のサービングセル上で、前記任意の１つの第２セカンダリセルをスケジューリングし、且つ上りリンクグラント又は下りリンク割り当てを指示するPDCCHを受信しているかを確定する。
【００５４】
１つの実施方式では、確定ユニット302は、前記任意の１つの第２セカンダリセル上で、上りリンクグラント又は下りリンク割り当てを指示するPDCCHを受信しており、又は、他のサービングセル上で、前記任意の１つの第２セカンダリセルをスケジューリングし、且つ上りリンクグラント又は下りリンク割り当てを指示するPDCCHを受信していると確定し、再スタートユニット301は、前記任意の１つの第２セカンダリセルのディアクティベーションタイマーを再スタートさせ、且つ前記PUCCHをキャリーする第１セカンダリセルに関連付けられているディアクティベーションタイマーを再スタートさせる。
【００５５】
もう１つの実施方式では、確定ユニット302は、前記任意の１つの第２セカンダリセル上で、上りリンクグラント又は下りリンク割り当てを指示するPDCCHを受信しており、又は、他のサービングセル上で、前記任意の１つの第２セカンダリセルをスケジューリングし、且つ上りリンクグラント又は下りリンク割り当てを指示するPDCCHを受信しており、又は、前記任意の１つの第２セカンダリセルがCQI報告を伝送すると確定し、再スタートユニット301は、前記PUCCHをキャリーする第１セカンダリセルに関連付けられているディアクティベーションタイマーを再スタートさせる。
【００５６】
上述の実施例から分かるように、PUCCHをキャリーするセカンダリセルに新しいディアクティベーションタイマー再スタートトリガーメカニズムを導入しており、これにより、ユーザ装置の自主的ディアクティベーションメカニズムによる、ユーザ装置及び基地局のセカンダリセルのアクティベーション状態への認識が不一致の問題が生じることがない。
【実施例３】
【００５７】
本発明の実施例は、セカンダリセルのディアクティベーション方法を提供し、該方法は、ユーザ装置に応用され、前記ユーザ装置は、PUCCHをキャリーする第１セカンダリセル及びPUCCHをキャリーしない第２セカンダリセルを有するように構成させる。
【００５８】
図4は、本発明の実施例のディアクティベーション方法を示す図である。図4に示すように、前記方法は、次のようなステップを含む。
【００５９】
ステップ401：ユーザ装置により、前記PUCCHをキャリーする第１セカンダリセルについて、ディアクティベーションタイマーがワーキングしないように構成し、又は、前記第１セカンダリセルのディアクティベーションタイマーの値が前記第２セカンダリセルのディアクティベーションタイマーの値よりも大きいように構成する。
【００６０】
本実施例では、PUCCHをキャリーするSCellについて、UEの自主的ディアクティベーションメカニズムを設定しなくても良い。
【００６１】
１つの実施方式では、ユーザ装置は、前記PUCCHをキャリーする第１セカンダリセルについて、ディアクティベーションタイマーがワーキングしないようにさせ、前記PUCCHをキャリーしない第２セカンダリセルについて、ディアクティベーションタイマーがワーキングするようにさせる。
【００６２】
もう１つの実施方式では、ユーザ装置は、前記第１セカンダリセルのディアクティベーションタイマーの値を、前記第２セカンダリセルのディアクティベーションタイマーの値よりも大きく構成する。具体的には、前記第１セカンダリセルのディアクティベーションタイマーの値が前記第２セカンダリセルのディアクティベーションタイマーの値よりも遥かに大きいように構成しても良く、例えば、無限大と構成しても良い。
【００６３】
即ち、異なるSCellのために、異なるディアクティベーションタイマー値を導入することができ、そのうち、PUCCHをキャリーするSCellのディアクティベーションタイマーの値は、例えば、無限大と設定され、他のPUCCHをキャリーしない普通のSCellの値は、現在のメカニズムをできるだけ再利用するために、同じ値として設定されても良い。このように、基地局が構成したタイマーの値は、PUCCHをキャリーしない普通のSCellにのみ適する。
【００６４】
SCellがアクティベーションされる時に、ディアクティベーションタイマーをスタットさせ、このSCellがPUCCHをキャリーするSCellである場合、デフォルト値である無限大の値を使用し、そうでない場合、このSCellがPUCCHをキャリーしない普通のSCellであるため、現在のメカニズムに従って、基地局が構成したタイマーの値を用いるが、基地局がそれを構成していなければ、デフォルトとしての無限大を使用する。
【００６５】
しかし、本発明は、第１セカンダリセルのディアクティベーションタイマーの値を無限大と設定することに限定されず、前記第２セカンダリセルのディアクティベーションタイマーの値よりもかなり大きいように設定すれば良い。例えば、第１セカンダリセルのディアクティベーションタイマーの値を、該タイマーが有し得る最大値などと設定しても良く、また、実際の状況に応じて他の具体的な値と設定しても良い。
【００６６】
本実施例では、PUCCHをキャリーするSCellは、ディアクティベーションMAC  CEのみによりディアクティベーションされ得るため、上述のような技術問題、即ち、“基地局は、このSCellがアクティベーション状態にあると見なすが、UEは、このSCellがディアクティベーション状態にあると見なす”との問題が存在しない。
【００６７】
上述の実施例から分かるように、PUCCHをキャリーするセカンダリセルのために、ユーザ装置の自主的ディアクティベーションメカニズムを構成せず、これにより、ユーザ装置の自主的ディアクティベーションメカニズムによる、ユーザ装置及び基地局のセカンダリセルのアクティベーション状態への認識が不一致の問題が生じることがない。
【実施例４】
【００６８】
本発明の実施例は、セカンダリセルのディアクティベーション装置を提供し、該装置は、ユーザ装置に構成される。本発明の実施例は、実施例3のディアクティベーション方法に対応するため、同じ内容は、省略される。
【００６９】
本実施例では、前記ユーザ装置は、PUCCHをキャリーする第１セカンダリセル及びPUCCHをキャリーしない第２セカンダリセルを有するように構成させる。
【００７０】
図5は、本発明の実施例のディアクティベーション装置を示す図である。図5に示すように、前記ディアクティベーション装置500は、次のようなものを含む。
【００７１】
構成ユニット501：前記PUCCHをキャリーする第１セカンダリセルについて、ディアクティベーションタイマーがワーキングしないように構成し、又は、前記第１セカンダリセルのディアクティベーションタイマーの値が前記第２セカンダリセルのディアクティベーションタイマーの値よりも大きいように構成する。
【００７２】
１つの実施方式では、構成ユニット501は、前記PUCCHをキャリーする第１セカンダリセルについて、ディアクティベーションタイマーがワーキングしないように構成し、前記PUCCHをキャリーしない第２セカンダリセルについて、ディアクティベーションタイマーがワーキングするように構成する。
【００７３】
もう１つの実施方式では、構成ユニット501は、前記第１セカンダリセルのディアクティベーションタイマーの値を、前記第２セカンダリセルのディアクティベーションタイマーの値よりも大きく構成する。具体的には、構成ユニット501は、前記第１セカンダリセルのディアクティベーションタイマーの値を無限大と構成することができる。
【００７４】
本実施例では、PUCCHをキャリーするSCellは、ディアクティベーションMAC  CEのみによりディアクティベーションされ得る。
【００７５】
上述の実施例から分かるように、PUCCHをキャリーするセカンダリセルのためにユーザ装置の自主的ディアクティベーションメカニズムを構成せず、これにより、ユーザ装置の自主的ディアクティベーションメカニズムによる、ユーザ装置及び基地局のセカンダリセルのアクティベーション状態への認識が不一致の問題が生じることがない。
【実施例５】
【００７６】
本発明の実施例は、セカンダリセルのディアクティベーション方法を提供し、該方法は、ユーザ装置に応用され、前記ユーザ装置は、PUCCHをキャリーする第１セカンダリセル及びPUCCHをキャリーしない第２セカンダリセルを有するように構成され、前記第１セカンダリセル及び前記第１セカンダリセルのPUCCHにより上りリンク制御情報を伝送する１つ又は複数の第２セカンダリセルは、セカンダリPUCCHセルグループを構成し；
前記ユーザ装置は、さらに、PUCCHをキャリーするプライマリセルを有するように構成され、前記プライマリセル及び前記プライマリセルのPUCCHにより上りリンク制御情報を伝送する１つ又は複数の第２セカンダリセルは、プライマリPUCCHセルグループを構成する。
【００７７】
図6は、本発明の実施例のディアクティベーション方法を示す図である。図6に示すように、前記方法は、次のようなステップを含む。
【００７８】
ステップ601：ユーザ装置により、前記セカンダリPUCCHセルグループのために１つのセカンダリセルグループディアクティベーションタイマーを構成し；
ステップ602：ユーザ装置により、前記セカンダリPUCCHセルグループ中の任意の１つのセカンダリセルがタイマー再スタート条件を満足した場合、前記セカンダリセルグループディアクティベーションタイマーを再スタートさせる。
【００７９】
本実施例では、PUCCHセルグループに基づくディアクティベーションタイマーメカニズムを導入している。
【００８０】
１つの実施方式では、ユーザ装置は、さらに、前記プライマリPUCCHセルグループのために、１つのプライマリセルグループディアクティベーションタイマーを構成しても良く、また、前記プライマリPUCCHセルグループ中の任意の１つのセカンダリセルがタイマー再スタート条件を満足した場合、前記プライマリセルグループディアクティベーションタイマーを再スタートさせる。
【００８１】
即ち、本実施方式では、各UEについて２つのみのディアクティベーションタイマーを維持し、それぞれ、各PUCCHセルグループのために１つのディアクティベーションタイマーを構成する。もちろん、プライマリPUCCHセルグループについて、このディアクティベーションタイマーは、セカンダリセルにのみ適用し、プライマリセルに適用しない。グループ内の任意の１つのセルがタイマー再スタート条件を満足すれば、このグループのディアクティベーションタイマーを再スタートさせることができる。
【００８２】
具体的には、前記セカンダリPUCCHセルグループ中の任意の１つのセカンダリセル上で、上りリンクグラント又は下りリンク割り当てを指示するPDCCHを受信しており、又は、他のサービングセル上で、前記任意の１つのセカンダリセルをスケジューリングし、且つ上りリンクグラント又は下りリンク割り当てを指示するPDCCHを受信していれば、前記セカンダリセルグループディアクティベーションタイマーを再スタートさせる。
【００８３】
前記プライマリPUCCHセルグループ中の任意の１つのセカンダリセル上で、上りリンクグラント又は下りリンク割り当てを指示するPDCCHを受信しており、又は、他のサービングセル上で、前記任意の１つのセカンダリセルをスケジューリングし、且つ上りリンクグラント又は下りリンク割り当てを指示するPDCCHを受信していれば、前記プライマリセルグループディアクティベーションタイマーを再スタートさせる。
【００８４】
本実施方式では、PUCCHセルグループのクロスキャリア・スケジューリングが発生する時に、同時に２つのディアクティベーションタイマーを再スタートさせても良い。現在のメカニズムと同じ点は、ここでの２つのディアクティベーションタイマーの値は、基地局により構成されても良く、また、この２つの値は、同じであっても良い。
【００８５】
もう１つの実施方式では、セカンダリPUCCHセルグループについてのみ、セカンダリPUCCHセルグループに基づくディアクティベーションタイマーを維持する。プライマリPUCCHセルグループについて、従来のメカニズムに従って、依然としてSCellに基づくディアクティベーションタイマーを維持する。
【００８６】
具体的には、前記セカンダリPUCCHセルグループ中の任意の１つのセカンダリセル上で、上りリンクグラント又は下りリンク割り当てを指示するPDCCHを受信しており、又は、他のサービングセル上で、前記任意の１つのセカンダリセルをスケジューリングし、且つ上りリンクグラント又は下りリンク割り当てを指示するPDCCHを受信していれば、前記セカンダリセルグループディアクティベーションタイマーを再スタートさせる。
【００８７】
前記プライマリPUCCHセルグループ中の任意の１つのセカンダリセル上で、上りリンクグラント又は下りリンク割り当てを指示するPDCCHを受信しており、又は、他のサービングセル上で、前記任意の１つのセカンダリセルをスケジューリングし、且つ上りリンクグラント又は下りリンク割り当てを指示するPDCCHを受信していれば、前記任１つのセカンダリセルのディアクティベーションタイマーを再スタートさせる。
【００８８】
本実施方式では、従来のメカニズムと同じ点は、ここでの複数のディアクティベーションタイマーの値は、基地局により構成されても良く、また、これらの値は、同じであっても良い。
【００８９】
上述の実施例から分かるように、セカンダリPUCCHセルグループのために、新しいディアクティベーションタイマーメカニズムを導入しており、これにより、ユーザ装置の自主的ディアクティベーションメカニズムによる、ユーザ装置及び基地局のセカンダリセルのアクティベーション状態への認識が不一致の問題が生じることがない。
【実施例６】
【００９０】
本発明の実施例は、セカンダリセルのディアクティベーション装置を提供し、該装置は、ユーザ装置に構成される。本発明の実施例は、実施例5のディアクティベーション方法に対応するので、同じ内容は、省略される。
【００９１】
本実施例では、前記ユーザ装置は、PUCCHをキャリーする第１セカンダリセル及びPUCCHをキャリーしない第２セカンダリセルを有するように構成され、前記第１セカンダリセル及び前記第１セカンダリセルのPUCCHにより上りリンク制御情報を伝送する１つ又は複数の第２セカンダリセルは、セカンダリPUCCHセルグループを構成し、前記ユーザ装置は、さらに、PUCCHをキャリーするプライマリセルを有するように構成され、前記プライマリセル及び前記プライマリセルのPUCCHにより上りリンク制御情報を伝送する１つ又は複数の第２セカンダリセルは、プライマリPUCCHセルグループを構成する。
【００９２】
図7は、本発明の実施例のディアクティベーション装置を示す図である。図7に示すように、前記ディアクティベーション装置700は、次のようなものを含む。
【００９３】
構成ユニット701：前記セカンダリPUCCHセルグループのために、１つのセカンダリセルグループディアクティベーションタイマーを構成し；
再スタートユニット702：前記セカンダリPUCCHセルグループ中の任意の１つのセカンダリセルがタイマー再スタート条件を満足した場合、前記セカンダリセルグループディアクティベーションタイマーを再スタートさせる。
【００９４】
１つの実施方式では、図7に示すように、前記ディアクティベーション装置700は、さらに、次のようなものを含んでも良い。
【００９５】
確定ユニット703：前記セカンダリPUCCHセルグループ中の任意の１つのセカンダリセル上で、上りリンクグラント又は下りリンク割り当てを指示するPDCCHを受信しているか、又は、他のサービングセル上で、前記任意の１つのセカンダリセルをスケジューリングし、且つ上りリンクグラント又は下りリンク割り当てを指示するPDCCHを受信しているかを確定する。
【００９６】
前記再スタートユニット702は、さらに、前記セカンダリPUCCHセルグループ中の任意の１つのセカンダリセル上で、上りリンクグラント又は下りリンク割り当てを指示するPDCCHを受信しており、又は、他のサービングセル上で、前記任意の１つのセカンダリセルをスケジューリングし、且つ上りリンクグラント又は下りリンク割り当てを指示するPDCCHを受信している場合、前記セカンダリセルグループディアクティベーションタイマーを再スタートさせる。
【００９７】
もう１つの実施方式では、前記構成ユニット701は、さらに、前記プライマリPUCCHセルグループのために、１つのプライマリセルグループディアクティベーションタイマーを構成する。前記ディアクティベーション装置700は、さらに、次のようなものを含んでも良い。
【００９８】
確定ユニット703：前記セカンダリPUCCHセルグループ中の任意の１つのセカンダリセル上で、上りリンクグラント又は下りリンク割り当てを指示するPDCCHを受信しているか、又は、他のサービングセル上で、前記任意の１つのセカンダリセルをスケジューリングし、且つ上りリンクグラント又は下りリンク割り当てを指示するPDCCHを受信しているかを確定し、及び、前記プライマリPUCCHセルグループ中の任意の１つのセカンダリセル上で、上りリンクグラント又は下りリンク割り当てを指示するPDCCHを受信しているか、又は、他のサービングセル上で、前記任意の１つのセカンダリセルをスケジューリングし、且つ上りリンクグラント又は下りリンク割り当てを指示するPDCCHを受信しているかを確定する。
【００９９】
前記再スタートユニット702は、さらに、前記セカンダリPUCCHセルグループ中の任意の１つのセカンダリセル上で、上りリンクグラント又は下りリンク割り当てを指示するPDCCHを受信しており、又は、他のサービングセル上で、前記任意の１つのセカンダリセルをスケジューリングし、且つ上りリンクグラント又は下りリンク割り当てを指示するPDCCHを受信している場合、前記セカンダリセルグループディアクティベーションタイマーを再スタートし、及び、前記プライマリPUCCHセルグループ中の任意の１つのセカンダリセル上で、上りリンクグラント又は下りリンク割り当てを指示するPDCCHを受信しており、又は、他のサービングセル上で、前記任意の１つのセカンダリセルをスケジューリングし、且つ上りリンクグラント又は下りリンク割り当てを指示するPDCCHを受信している場合、前記プライマリセルグループディアクティベーションタイマーを再スタートさせる。
【０１００】
上述の実施例から分かるように、セカンダリPUCCHセルグループのために新しいディアクティベーションタイマーメカニズムを導入しており、これにより、ユーザ装置の自主的ディアクティベーションメカニズムによる、ユーザ装置及び基地局のセカンダリセルのアクティベーション状態への認識が不一致の問題が生じることがない。
【実施例７】
【０１０１】
本発明の実施例は、ユーザ装置を提供し、それは、上述のセカンダリセルのディアクティベーション装置300、500又は700を有するように構成される。
【０１０２】
本実施例では、前記ユーザ装置は、PUCCHをキャリーする第１セカンダリセル及びPUCCHをキャリーしない第２セカンダリセルを有するように構成され、前記第１セカンダリセル及び前記第１セカンダリセルのPUCCHにより上りリンク制御情報を伝送する１つ又は複数の第２セカンダリセルは、セカンダリPUCCHセルグループを構成し、前記ユーザ装置は、さらに、PUCCHをキャリーするプライマリセルを有するように構成され、前記プライマリセル及び前記プライマリセルのPUCCHにより上りリンク制御情報を伝送する１つ又は複数の第２セカンダリセルは、プライマリPUCCHセルグループを構成する。
【０１０３】
図8は、本発明の実施例のユーザ装置を示す図である。図8に示すように、該ユーザ装置800は、中央処理装置100及び記憶器140を含んでも良く、記憶器140は、中央処理装置100に接続される。なお、該図は、例示に過ぎず、さらに他の類型の構造を以て該構造に対して補充又は代替を行うことで、電気通信機能や他の機能を実現しても良い。
【０１０４】
１つの実施方式では、ディアクティベーション装置300、500又は700の機能は、中央処理装置100に集積することができる。そのうち、中央処理装置100は、次のように構成されても良く、即ち、前記セカンダリPUCCHセルグループ中の任意の１つの第２セカンダリセルにおいて、ディアクティベーションタイマーが再スタートさせられ、又は、CQI報告が伝送される場合下、前記PUCCHをキャリーする第１セカンダリセルに関連付けられているディアクティベーションタイマーを再スタートさせるように制御し；
或いは、前記PUCCHをキャリーする第１セカンダリセルについて、ディアクティベーションタイマーがワーキングしないように構成し、又は、前記第１セカンダリセルのディアクティベーションタイマーの値が前記第２セカンダリセルのディアクティベーションタイマーの値よりも大きいように構成し；
或いは、前記セカンダリPUCCHセルグループのために、１つのセカンダリセルグループディアクティベーションタイマーを構成し、また、前記セカンダリPUCCHセルグループ中の任意の１つのセカンダリセルがタイマー再スタート条件を満足した場合、前記セカンダリセルグループディアクティベーションタイマーを再スタートさせるように制御する。
【０１０５】
もう１つの実施方式では、ディアクティベーション装置300、500又は700は、中央処理装置100と別々で構成されても良く、例えば、ディアクティベーション装置300、500又は700を、中央処理装置100に接続されるチップとして構成し、中央処理装置の制御により、ディアクティベーション装置300、500又は700の機能を実現しても良い。
【０１０６】
図8に示すように、該ユーザ装置800は、さらに、通信モジュール110、入力ユニット120、音声処理ユニット130、記憶器140、カメラ150、表示器160、電源170を含んでも良い。そのうち、これらの部品の機能は、従来技術に類似したので、ここでは、その詳しい説明を省略する。なお、ユーザ装置800は、必ずしも図8中の全ての部品を含む必要がなく、また、これらの部品は、必須でない。ユーザ装置800は、さらに、図8に無い部品を含んでも良く、これについては、従来技術を参照することができる。
【０１０７】
上述の実施例から分かるように、PUCCHをキャリーするセカンダリセルのために新しいディアクティベーションタイマー再スタートトリガーメカニズムを導入しており、又は、PUCCHをキャリーするセカンダリセルのためにユーザ装置の自主的ディアクティベーションメカニズムを構成せず、又は、セカンダリPUCCHセルグループのために新しいディアクティベーションタイマーメカニズムを導入しており、これにより、ユーザ装置の自主的ディアクティベーションメカニズムによる、ユーザ装置及び基地局のセカンダリセルのアクティベーション状態への認識が不一致の問題が生じることがない。
【実施例８】
【０１０８】
本発明の実施例は、さらに、通信システムを提供し、なお、実施例1乃至7と同じ内容は、省略される。図9は、本発明の実施例の通信システムを示す図である。図9に示すように、前記通信システム900は、基地局901及びユーザ装置902を含む。
【０１０９】
そのうち、前記ユーザ装置902は、PUCCHをキャリーする第１セカンダリセル及びPUCCHをキャリーしない第２セカンダリセルを有するように構成され、前記第１セカンダリセル及び前記第１セカンダリセルのPUCCHにより上りリンク制御情報を伝送する１つ又は複数の第２セカンダリセルは、セカンダリPUCCHセルグループを構成し、前記ユーザ装置902は、さらに、PUCCHをキャリーするプライマリセルを有するように構成され、前記プライマリセル及び前記プライマリセルのPUCCHにより上りリンク制御情報を伝送する１つ又は複数の第２セカンダリセルは、プライマリPUCCHセルグループを構成する。
【０１１０】
前記ユーザ装置902は、前記セカンダリPUCCHセルグループ中の任意の１つの第２セカンダリセルにおいて、ディアクティベーションタイマーが再スタートさせられ、又は、CQI報告が伝送される場合、前記PUCCHをキャリーする第１セカンダリセルに関連付けられているディアクティベーションタイマーを再スタートさせ；
或いは、前記PUCCHをキャリーする第１セカンダリセルについて、ディアクティベーションタイマーがワーキングしないように構成し、又は、前記第１セカンダリセルのディアクティベーションタイマーの値が前記第２セカンダリセルのディアクティベーションタイマーの値よりも大きいように構成し；
或いは、前記セカンダリPUCCHセルグループのために１つのセカンダリセルグループディアクティベーションタイマーを構成し、また、前記セカンダリPUCCHセルグループ中の任意の１つのセカンダリセルがタイマー再スタート条件を満足した場合、前記セカンダリセルグループディアクティベーションタイマーを再スタートさせる。
【０１１１】
本発明の実施例は、コンピュータ可読プログラムを提供し、そのうち、ユーザ装置中で前記プログラムを実行する時に、前記プログラムは、コンピュータに、前記ユーザ装置中で実施例1、3又は5に記載のセカンダリセルのディアクティベーション方法を実行させる。
【０１１２】
本発明の実施例は、コンピュータ可読プログラムを記憶した記憶媒体を提供し、そのうち、前記コンピュータ可読プログラムは、コンピュータに、ユーザ装置中で実施例1、3又は5に記載のセカンダリセルのディアクティベーション方法を実行させる。
【０１１３】
本発明の以上の装置及び方法は、ソフトウェア又はハードウェアにより実現されても良く、ハードウェアとソフトウェアとの組み合わせにより実現されても良い。本発明は更に下記のようなコンピュータ読み取り可能なプログラムに関し、即ち、該プログラムは、ロジック部品により実行される時に、該ロジック部品に、上述の装置又は構造部品を実現させ、又は、該ロジック部品に、上述の各種の方法又はステップを実現させる。ロジック部品は、例えば、FPGA（Field  Programmable  Gate  Array）、マイクロプロセッサー、コンピュータに用いる処理器などであっても良い。本発明は更に、上述のプログラムを記憶した記憶媒体、例えば、ハードディスク、磁気ディスク、光ハードディスク、DVD、フレッシュメモリなどにも関する。
【０１１４】
図面に記載の機能ブロックのうちの１つ又は複数の組み合わせ及び／又は機能ブロックの１つ又は複数の組み合わせは、本願に記載の機能を実行するための汎用処理器、デジタル信号処理器（DSP）、専用集積回路（ASIC）、フィールドプログラマブルゲートアレイ（FPGA）又は他のプログラム可能な論理部品、ディスクリートゲート又はトランジスタ論理部品、ディスクリートハードウェアアセンブリ又は他の任意の適切な組む合わせとして実現されても良い。また、図面に記載の機能ブロックのうちの１つ又は複数の組み合わせ及び／又は機能ブロックの１つ又は複数の組み合わせは、さらに、計算装置の組み合わせ、例えば、DSP及びマイクロプロセッサの組み合わせ、複数のマイクロプロセッサ、DSPと通信により接続される１つ又は複数のマイクロプロセッサ又は他の任意のこのような構成として構成されても良い。
【０１１５】
以上、本発明の好ましい実施形態を説明したが、本発明はこのような実施形態に限定されず、本発明の趣旨を離脱しない限り、本発明に対するあらゆる変更は本発明の技術的範囲に属する。
【図１】
2018511259.tif 000003
【図２】
2018511259.tif 000004
【図３】
2018511259.tif 000005
【図４】
2018511259.tif 000006
【図５】
2018511259.tif 000007
【図６】
2018511259.tif 000008
【図７】
2018511259.tif 000009
【図８】
2018511259.tif 000010
【図９】
2018511259.tif 000011
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
ユーザ装置に構成されるセカンダリセルのディアクティベーション（deactivation）装置であって、
前記ユーザ装置は、物理上りリンク制御チャネルをキャリー（carry）する第１セカンダリセル及び物理上りリンク制御チャネルをキャリーしない第２セカンダリセルを有するように構成され、
前記ディアクティベーション装置は、
前記物理上りリンク制御チャネルをキャリーする第１セカンダリセルが、ディアクティベーションＭＡＣ（Media  Access  Control）制御エレメントによりディアクティベーションされるように構成するための構成ユニットを含み、
前記物理上りリンク制御チャネルをキャリーする第１セカンダリセルは、ディアクティベーションタイマーがワーキングしないように構成され、又は、前記第１セカンダリセルのディアクティベーションタイマーの値は、前記第２セカンダリセルのディアクティベーションタイマーの値よりも大きいように構成される、ディアクティベーション装置。
【請求項２】
請求項1に記載のディアクティベーション装置であって、
前記第１セカンダリセルのディアクティベーションタイマーの値は、無限大と構成される、ディアクティベーション装置。
【請求項３】
ユーザ装置に構成されるセカンダリセルのディアクティベーション装置であって、
前記ユーザ装置は、物理上りリンク制御チャネルをキャリーする第１セカンダリセル及び物理上りリンク制御チャネルをキャリーしない第２セカンダリセルを有するように構成され、前記第１セカンダリセル、及び前記物理上りリンク制御チャネルにより上りリンク制御情報を伝送する１つ又は複数の第２セカンダリセルは、セカンダリ物理上りリンク制御チャネルセルグループを構成し、
前記ディアクティベーション装置は、
前記セカンダリ物理上りリンク制御チャネルセルグループ中の任意の１つの第２セカンダリセルにおいて、ディアクティベーションタイマーが再スタートさせられ、又は、チャネル品質指示報告が伝送される場合に、前記物理上りリンク制御チャネルをキャリーする第１セカンダリセルに関連付けられているディアクティベーションタイマーを再スタートさせるための再スタートユニットを含む、ディアクティベーション装置。
【請求項４】
請求項3に記載のディアクティベーション装置であって、
前記任意の１つの第２セカンダリセル上で、上りリンクグラント又は下りリンク割り当てを指示する物理下りリンク制御チャネルを受信しているか、又は、他のサービングセル上で、前記任意の１つの第２セカンダリセルをスケジューリングし、且つ上りリンクグラント又は下りリンク割り当てを指示する物理下りリンク制御チャネルを受信しているかを確定するための確定ユニットをさらに含む、ディアクティベーション装置。
【請求項５】
請求項4に記載のディアクティベーション装置であって、
前記再スタートユニットは、さらに、前記任意の１つの第２セカンダリセルのディアクティベーションタイマーを再スタートさせるために用いられる、ディアクティベーション装置。
【請求項６】
請求項4に記載のディアクティベーション装置であって、
前記確定ユニットは、さらに、前記任意の１つの第２セカンダリセル上で、チャネル品質指示報告が伝送されるかを確定するために用いられる、ディアクティベーション装置。
【請求項７】
ユーザ装置に構成されるセカンダリセルのディアクティベーション装置であって、
前記ユーザ装置は、物理上りリンク制御チャネルをキャリーする第１セカンダリセル及び物理上りリンク制御チャネルをキャリーしない第２セカンダリセルを有するように構成され、前記第１セカンダリセル、及び前記第１セカンダリセルの物理上りリンク制御チャネルにより上りリンク制御情報を伝送する１つ又は複数の第２セカンダリセルは、セカンダリ物理上りリンク制御チャネルセルグループを構成し、
前記ユーザ装置は、さらに、物理上りリンク制御チャネルをキャリーするプライマリセルを有するように構成され、前記プライマリセル、及び前記プライマリセルの物理上りリンク制御チャネルにより上りリンク制御情報を伝送する１つ又は複数の第２セカンダリセルは、プライマリ物理上りリンク制御チャネルセルグループを構成し、
前記ディアクティベーション装置は、
前記セカンダリ物理上りリンク制御チャネルセルグループのために、１つのセカンダリセルグループディアクティベーションタイマーを構成するための構成ユニット；及び
前記セカンダリ物理上りリンク制御チャネルセルグループ中の任意の１つのセカンダリセルがタイマー再スタート条件を満足した場合に、前記セカンダリセルグループディアクティベーションタイマーを再スタートさせるための再スタートユニットを含む、ディアクティベーション装置。
【請求項８】
請求項7に記載のディアクティベーション装置であって、
前記セカンダリ物理上りリンク制御チャネルセルグループ中の任意の１つのセカンダリセル上で、上りリンクグラント又は下りリンク割り当てを指示する物理下りリンク制御チャネルを受信しているか、又は、他のサービングセル上で、前記任意の１つのセカンダリセルをスケジューリングし、且つ上りリンクグラント又は下りリンク割り当てを指示する物理下りリンク制御チャネルを受信しているかを確定するための確定ユニットをさらに含む、ディアクティベーション装置。
【請求項９】
請求項7に記載のディアクティベーション装置であって、
前記構成ユニットは、さらに、前記プライマリ物理上りリンク制御チャネルセルグループのために、１つのプライマリセルグループディアクティベーションタイマーを構成するために用いられ、
前記再スタートユニットは、さらに、前記プライマリ物理上りリンク制御チャネルセルグループ中の任意の１つのセカンダリセルがタイマー再スタート条件を満足した場合、前記プライマリセルグループディアクティベーションタイマーを再スタートさせるために用いられる、ディアクティベーション装置。
【請求項１０】
請求項9に記載のディアクティベーション装置であって、
前記プライマリ物理上りリンク制御チャネルセルグループ中の任意の１つのセカンダリセル上で、上りリンクグラント又は下りリンク割り当てを指示する物理下りリンク制御チャネルを受信しているか、又は、他のサービングセル上で、前記任意の１つのセカンダリセルをスケジューリングし、且つ上りリンクグラント又は下りリンク割り当てを指示する物理下りリンク制御チャネルを受信しているかを確定するための確定ユニットをさらに含む、ディアクティベーション装置。
【請求項１１】
ユーザ装置を含む通信システムであって、
前記ユーザ装置は、物理上りリンク制御チャネルをキャリーする第１セカンダリセル及び物理上りリンク制御チャネルをキャリーしない第２セカンダリセルを有するように構成され、
前記物理上りリンク制御チャネルをキャリーする第１セカンダリセルは、ディアクティベーションＭＡＣ制御エレメントによりディアクティベーションされるように構成され、
前記物理上りリンク制御チャネルをキャリーする第１セカンダリセルは、ディアクティベーションタイマーがワーキングしないように構成され、又は、前記第１セカンダリセルのディアクティベーションタイマーの値は、前記第２セカンダリセルのディアクティベーションタイマーの値よりも大きいように構成される、通信システム。
【国際調査報告】
2018511259.tif 000012
2018511259.tif 000013
2018511259.tif 000014
2018511259.tif 000015